(57)【要約】【課題】  収納や携帯時に折り畳み状態とした時にベビーカーの高さ方向の寸法も小さくできるようにしたベビーカーを提供すること。【解決手段】  ベビーカーは、１対の前脚１２と、１対の後脚１４と、１対の後脚１４に連結された１対の支持パイプ１７と、１対の前脚１２および１対の後脚１４のうち少なくともいずれか一方に連結されるとともに、１対の支持パイプ１７に回動自在に連結された１対のアームレスト１６と、幌布６７を張設する幌ステー６６とを備えている。各アームレスト１６は、支持パイプ１７よりも後方まで延びて係合部分３５を形成する。また、幌ステー６６を取り付け、係合部分３５に回動自在に連結された幌取付部材３６が設けられており、ベビーカーを折り畳み状態としたときに、アームレスト１６が支持パイプ１７に対して回転し、幌取付部材３６の位置が支持パイプ１７に対して降下する。【選択図】  図２
2006117010.tif 000002
【特許請求の範囲】
【請求項１】
収納や携帯時に折り畳み状態とし得るようにしたベビーカーにおいて、
１対の前脚と、
１対の後脚と、
１対の後脚に連結された１対の支持パイプと、
１対の前脚および１対の後脚のうち少なくともいずれか一方に連結されるとともに、１対の支持パイプに回動自在に連結され、各支持パイプよりも後方まで延びて係合部分を形成する１対のアームレストと、
幌布を張設する幌ステーと、
幌ステーを取り付け、各アームレストの係合部分に回動自在に連結された幌取付部材とを備え、
折り畳み状態としたときに、アームレストが支持パイプに対して回転し、係合部分に取り付けられた幌取付部材の位置が支持パイプに対して降下することを特徴とするベビーカー。
【請求項２】
各アームレストは、前脚と後脚と支持パイプとに連結されたアームレスト本体と、アームレスト本体から支持パイプよりも後方まで延びて係合部分を構成する幌取付プレートとからなることを特徴とする請求項１記載のベビーカー。
【請求項３】
幌取付部材は支持パイプに摺動自在に取り付けられ、折り畳み状態としたときに幌取付部材が支持パイプ上を下方に摺動することを特徴とする請求項１または２記載のベビーカー。
【請求項４】
収納や携帯時に折り畳み状態とし得るようにしたベビーカーにおいて、
１対の前脚と、
１対の後脚と、
１対の後脚に連結された１対の支持パイプと、
１対の前脚および１対の後脚のうち少なくともいずれか一方に連結されるとともに、１対の支持パイプに回動自在に連結され、各支持パイプよりも後方まで延びて係合部分を形成する１対のアームレストと、
幌布を張設する幌ステーと、
幌ステーを取り付け、各アームレストの係合部分にリンクプレートを介して回動自在に連結された幌取付部材とを備え、
リンクプレートはその一端部が係合部分に回動自在に連結され、その他端部が幌取付部材に回動自在に連結され、
折り畳み状態としたときに、アームレストが支持パイプに対して回転し、リンクプレートに取り付けられた幌取付部材の位置が支持パイプに対して降下することを特徴とするベビーカー。
【請求項５】
各アームレストは、前脚と後脚と支持パイプとに連結されたアームレスト本体と、アームレスト本体から支持パイプよりも後方まで延びて係合部分を構成する幌取付プレートとからなり、幌取付プレートとリンクプレートの一端部とが回動自在に連結していることを特徴とする請求項４記載のベビーカー。
【請求項６】
幌取付部材は支持パイプに摺動自在に取り付けられ、折り畳み状態としたときに幌取付部材が支持パイプ上を下方に摺動することを特徴とする請求項４または５記載のベビーカー。
【請求項７】
収納や携帯時に折り畳み状態とし得るようにしたベビーカーにおいて、
１対の直管部を有し、各直管部がその軸線方向に伸縮可能となっている手押し杆と、
幌布を張設する幌ステーと、
手押し杆の各直管部に連結されるとともに、幌ステーを取り付ける幌取付部材とを備え、
折り畳み状態としたときに上記手押し杆の直管部の長さが短くなり、これに伴って直管部に取り付けられた幌取付部材が下方に移動することを特徴とするベビーカー。
【請求項８】
収納や携帯時に三つ折りにより折り畳み状態とし得るようにしたベビーカーにおいて、
１対の前脚と、
１対の後脚と、
１対の後脚に連結された１対の支持パイプと、
幌布を張設する幌ステーと、
各支持パイプに取り付けられるとともに、スパイラルカムを介して幌ステーを取り付ける幌取付部材とを備え、
スパイラルカムは幌取付部材に対する幌ステーの回転によりこの幌ステーを上下方向に移動させ、
三つ折りにより折り畳み状態としたときに、幌取付部材が幌ステーに対して回転し、幌取付部材に対する幌ステーの位置が低くなることを特徴とするベビーカー。
【請求項９】
幌取付部材は、上下方向にスパイラル状に形成されたカム溝を有し、
スパイラルカムは、幌取付部材のカム溝に沿って移動する突起部分を有する幌アングルからなり、
三つ折りにより折り畳み状態としたときに、幌アングルの突起部分が幌取付部材のカム溝に沿って斜め下方に案内されることを特徴とする請求項８記載のベビーカー。
【発明の詳細な説明】
【技術分野】
【０００１】
本発明は、ベビーカーに係り、特に収納時や携帯時に折り畳み可能としたベビーカーに関する。
【背景技術】
【０００２】
一般に、乳幼児を散歩や買い物等のために屋外に連れ出す場合に使用するベビーカーにおいては、必要に応じて折り畳み、収納や携帯が容易になるようにするとともに、乳幼児の背面から手押しする背面手押し状態としたり、使用者が乳幼児と対面する対面手押し状態としたりするものが種々提案されている（例えば、特許文献１参照）。
【０００３】
図１７乃至図２３により従来のベビーカーについて説明する。このうち、図１７は従来のベビーカーの概略構成を示す斜視図、図１８はその側面図である。ベビーカーは、前輪１１を有する左右１対の前脚１２と、後輪１３を有する左右１対の後脚１４と、ほぼＵ字状に屈曲された手押し杆１５と、左右１対のアームレスト１６と、アームレスト１６の一端がそれぞれ枢着された、互いに平行に延びる左右２本の支持パイプ１７とを有している。
【０００４】
上記各アームレスト１６の他端部には前脚１２の上端が枢着されており、その左右のアームレスト１６の先端部間には弧状の屈曲可能なガードアーム１８が着脱自在に掛け渡されている。また左右のアームレスト１６には後脚１４の上端が枢着されている。左右の前脚１２は足乗せ板１９を有する前側連結バー２０によって連結されており、左右の後脚１４は後側連結バー２１により連結されている。さらに各前脚１２の中間部には連結バー２２の前端がそれぞれ枢着され、その連結バー２２の後端は、それぞれ前記支持パイプ１７の下部に固着された後脚支持部材２３に枢着されている。また左右の連結バー２２は上側連結バー２４によって連結されている。そして、これらの前脚１２、後脚１４、アームレスト１６、支持パイプ１７、及びそれらを連結する連結バーによってベビーカー本体が構成されている。
【０００５】
図１９に示すように、後脚１４にはＬ字状のブラケット２５の下端部が軸２５ｂによって枢着されており、その中間部が軸２５ｃによって上記後脚支持部材２３に枢着されている。そのブラケット２５の自由端部には後脚１４を支持パイプ１７にロックするロック部材２６の係止段部２６ａと係合する切り欠き段部２５ａが設けられている。上記ロック部材２６は上記支持パイプ１７に摺動可能に装着されており、手押し杆１５に設けられている遠隔操作装置によって支持パイプ１７に沿って上下摺動操作されるようにしてある。また、後脚支持部材２３には後脚１４と対向する面に展開時の後脚１４に当接しその展開状態を保持する段部２３ａが形成されている。
【０００６】
しかして、図１９に示すようにロック部材２６がＬ字状のブラケット２５の切り欠き段部２５ａに係合すると、そのブラケット２５を介して後脚１４と支持パイプ１７とがロックされ、ベビーカー本体が使用可能な展開状態に保持される。一方、遠隔操作装置によってロック部材２６が一点鎖線で示すように引き上げられると、ロック部材２６によるロックが解放され、アームレスト１６、前脚１２、後脚１４が図２０で一点鎖線で示すように上方に揺動可能となり、携帯時に便利なように２つに折り畳むことができる。
【０００７】
ところで、図１７及び図１８に示すように、左右の支持パイプ１７の下部にそれぞれ固着された後脚支持部材２３には、その外側面にほぼＵ字状の手押し杆１５の下端部が軸２７を中心として前後に揺動可能に枢着されており、上記手押し杆１５を後方位置（図１８の実線位置）に保持することにより背面手押し状態とすることができ、また上記手押し杆１５を前方に揺動させた状態（図１８の２点鎖線）にすることにより、対面手押し状態とすることができる。
【０００８】
一方、前記Ｕ字状の手押し杆１５、前側連結バー２０、後側連結バー２１、及び上側連結バー２４にはそれぞれ中間部の２カ所にジョイント１５ａ１、１５ａ２、２０ａ１、２０ａ２、２１ａ１、２１ａ２、２４ａ１、２４ａ２が設けられ、そのジョイントにより折り畳み可能としてある。そして、上記各ジョイントは、ジョイント１５ａ１、２０ａ１、２１ａ１、２４ａ１の軸線、及びジョイント１５ａ２、２０ａ２、２１ａ２、２４ａ２の軸線が、前脚１２と後脚１４とが互いに平行状態に折り畳まれた状態の時に、それぞれ同一軸線上に位置し、且つ互いに平行になるようにしてある。
【０００９】
しかして、前述のように前脚１２と後脚１４とが互いに平行状態となるように折り畳んだ後、手押し杆１５のジョイントより外側部分を前方に移動させると、各ジョイントによって手押し杆１５、前側連結バー２０、後側連結バー２１、上側連結バー２４の外側部が前方に折り曲げられ、ベビーカーを図２１に示すように平面視コ字状の三つ折り状態にコンパクトに折り畳むことができる。
【００１０】
ところが、上記ベビーカーにおいては上記二つ折り或いは三つ折り状態に折り畳んだ時には平断面の面積すなわち縦横の寸法を小さくすることができるが、手押し杆の長さは一定であるため、上述のように折り畳んだ状態においてもベビーカーの高さ方向の寸法は小さくならない等の問題がある。
そこで、上記手押し杆の直管部を伸縮可能として、二つ折り或いは三つ折り状態に折り畳んだ時には同時に手押し杆を収縮させて高さ方向の寸法をも小さくできるようにしたものも提案されている。
【００１１】
【特許文献１】特開２００２−３１６６５０号公報
【発明の開示】
【発明が解決しようとする課題】
【００１２】
ところが、一般にベビーカーにおいては、乳幼児を日光から保護するために、図２２に示すように、必要に応じて日除け用の幌３０を取り付けるが、上述のようにベビーカー本体を折り畳んだ状態にした場合には、上記幌３０における幌ステーが邪魔になり、手押し杆１５を十分収縮させることができず、折り畳んだ状態のベビーカーの高さ方向の寸法を必ずしも小さくできない等の問題がある。
【００１３】
すなわち、図２３に示すように、幌３０は基端部が幌アングル３１に対して同一軸に枢着された逆Ｕ字状の２つの幌ステー３０ａ、３０ｂを有し、その幌ステー３０ａ、３０ｂ間に幌布が張設されている。しかして、上記幌アングル３１の柱状の支持杆３１ａを前記支持パイプ１７に固着された幌取付部材３２の筒状の孔３２ａに回動可能に挿入装着することにより、幌３０をベビーカー本体に装着することができる。しかしながら、ベビーカー本体を折り畳んだ状態にした場合には、上記幌３０における幌ステー３０ａまたは３０ｂが邪魔になり、手押し杆１５を十分収縮させることができず、折り畳んだ状態のベビーカーの高さ方向の寸法を必ずしも小さくできない。
【００１４】
本発明は、このような点に鑑み、収納や携帯時に折り畳み状態とした時にベビーカーの高さ方向の寸法も小さくできるようにしたベビーカーを提供することを目的とする。
【課題を解決するための手段】
【００１５】
本発明は、収納や携帯時に折り畳み状態とし得るようにしたベビーカーにおいて、１対の前脚と、１対の後脚と、１対の後脚に連結された１対の支持パイプと、１対の前脚および１対の後脚のうち少なくともいずれか一方に連結されるとともに、１対の支持パイプに回動自在に連結され、各支持パイプよりも後方まで延びて係合部分を形成する１対のアームレストと、幌布を張設する幌ステーと、幌ステーを取り付け、各アームレストの係合部分に回動自在に連結された幌取付部材とを備え、折り畳み状態としたときに、アームレストが支持パイプに対して回転し、係合部分に取り付けられた幌取付部材の位置が支持パイプに対して降下することを特徴とするベビーカーである。
このようなベビーカーによれば、支持パイプに回動自在に連結されたアームレストがこの支持パイプよりも後方まで延びて係合部分を形成し、幌取付部材が係合部分に回動自在に連結されており、折り畳み状態としたときに、アームレストが支持パイプに対して回転し、係合部分に取り付けられた幌取付部材の位置が支持パイプに対して降下するので、折り畳み時に幌ステーの高さを比較的低くすることができ、手押し杆の収縮に対して幌ステーが邪魔となることがなく、ベビーカーの高さ方向の寸法を小さくすることができる。
このようなベビーカーにおいては、各アームレストは、前脚と後脚と支持パイプとに連結されたアームレスト本体と、アームレスト本体から支持パイプよりも後方まで延びて係合部分を構成する幌取付プレートとからなることが好ましい。
また、幌取付部材は支持パイプに摺動自在に取り付けられ、折り畳み状態としたときに幌取付部材が支持パイプ上を下方に摺動することが好ましい。
【００１６】
本発明は、収納や携帯時に折り畳み状態とし得るようにしたベビーカーにおいて、１対の前脚と、１対の後脚と、１対の後脚に連結された１対の支持パイプと、１対の前脚および１対の後脚のうち少なくともいずれか一方に連結されるとともに、１対の支持パイプに回動自在に連結され、各支持パイプよりも後方まで延びて係合部分を形成する１対のアームレストと、幌布を張設する幌ステーと、幌ステーを取り付け、各アームレストの係合部分にリンクプレートを介して回動自在に連結された幌取付部材とを備え、リンクプレートはその一端部が係合部分に回動自在に連結され、その他端部が幌取付部材に回動自在に連結され、折り畳み状態としたときに、アームレストが支持パイプに対して回転し、リンクプレートに取り付けられた幌取付部材の位置が支持パイプに対して降下することを特徴とするベビーカーである。
このようなベビーカーによれば、アームレストの係合部分と幌取付部材との間にリンクプレートが両方に対して回動自在に連結されているので、ベビーカーの展開状態と折り畳み状態との間における幌取付部材の移動の自由度をより増加させることができ、また、係合部分の回転運動による作用力を円滑に幌取付部材に伝達して支持パイプに対して降下させることができる。
このようなベビーカーにおいては、各アームレストは、前脚と後脚と支持パイプとに連結されたアームレスト本体と、アームレスト本体から支持パイプよりも後方まで延びて係合部分を構成する幌取付プレートとからなり、幌取付プレートとリンクプレートの一端部とが回動自在に連結していることが好ましい。
また、幌取付部材は支持パイプに摺動自在に取り付けられ、折り畳み状態としたときに幌取付部材が支持パイプ上を下方に摺動することが好ましい。
【００１７】
本発明は、収納や携帯時に折り畳み状態とし得るようにしたベビーカーにおいて、１対の直管部を有し、各直管部がその軸線方向に伸縮可能となっている手押し杆と、幌布を張設する幌ステーと、手押し杆の各直管部に連結されるとともに、幌ステーを取り付ける幌取付部材とを備え、折り畳み状態としたときに上記手押し杆の直管部の長さが短くなり、これに伴って直管部に取り付けられた幌取付部材が下方に移動することを特徴とするベビーカーである。
このようなベビーカーによれば、幌取付部材が軸線方向に伸縮可能な手押し杆の直管部に連結されているので、折り畳み時に手押し杆の収縮に対して幌ステーの高さを同じ長さだけ低くすることができ、ベビーカーの高さ方向の寸法を小さくすることができる。
【００１８】
本発明は、収納や携帯時に三つ折りにより折り畳み状態とし得るようにしたベビーカーにおいて、１対の前脚と、１対の後脚と、１対の後脚に連結された１対の支持パイプと、幌布を張設する幌ステーと、各支持パイプに取り付けられるとともに、スパイラルカムを介して幌ステーを取り付ける幌取付部材とを備え、スパイラルカムは幌取付部材に対する幌ステーの回転によりこの幌ステーを上下方向に移動させ、三つ折りにより折り畳み状態としたときに、幌取付部材が幌ステーに対して回転し、幌取付部材に対する幌ステーの位置が低くなることを特徴とするベビーカーである。
このようなベビーカーによれば、幌取付部材はスパイラルカムを介して幌ステーを取り付け、このスパイラルカムは幌取付部材に対する幌ステーの回転によりこの幌ステーを上下方向に移動させるものであり、三つ折りにより折り畳み状態としたときに、幌取付部材が幌ステーに対して回転し、幌取付部材に対する幌ステーの位置が低くなるので、折り畳み時に幌ステーの高さを比較的低くすることができ、手押し杆の収縮に対して幌ステーが邪魔となることがなく、ベビーカーの高さ方向の寸法を小さくすることができる。
このようなベビーカーにおいては、幌取付部材は、上下方向にスパイラル状に形成されたカム溝を有し、スパイラルカムは、幌取付部材のカム溝に沿って移動する突起部分を有する幌アングルからなり、三つ折りにより折り畳み状態としたときに、幌アングルの突起部分が幌取付部材のカム溝に沿って斜め下方に案内されることが好ましい。
【発明の効果】
【００１９】
本発明のベビーカーによれば、支持パイプに回動自在に連結されたアームレストがこの支持パイプよりも後方まで延びて係合部分を形成し、幌取付部材が係合部分に回動自在に連結されており、折り畳み状態としたときに、アームレストが支持パイプに対して回転する。このとき、係合部分に取り付けられた幌取付部材の位置が支持パイプに対して降下するので、折り畳み時に幌ステーの高さを比較的低くすることができ、手押し杆の収縮に対して幌ステーが邪魔となることがなく、ベビーカーの高さ方向の寸法を小さくすることができる。
【００２０】
また、本発明の他のベビーカーによれば、アームレストの係合部分と幌取付部材との間にリンクプレートが両方に対して回動自在に連結されているので、ベビーカーの展開状態と折り畳み状態との間における幌取付部材の移動の自由度を増加させることができる。また、係合部分の回転運動による作用力を円滑に幌取付部材に伝達して支持パイプに対して降下させることができる。
【００２１】
また、本発明の他のベビーカーによれば、幌取付部材が軸線方向に伸縮可能な手押し杆の直管部に連結されているので、折り畳み時に手押し杆の収縮に対して幌ステーの高さを同じ長さだけ低くすることができ、ベビーカーの高さ方向の寸法を小さくすることができる。
【００２２】
また、本発明の他のベビーカーによれば、幌取付部材はスパイラルカムを介して幌ステーを取り付け、このスパイラルカムは幌取付部材に対する幌ステーの回転によりこの幌ステーを上下方向に移動させるものとなっている。三つ折りにより折り畳み状態としたときに、幌取付部材が幌ステーに対して回転し、幌取付部材に対する幌ステーの位置が低くなる。このため、折り畳み時に幌ステーの高さを比較的低くすることができ、手押し杆の収縮に対して幌ステーが邪魔となることがなく、ベビーカーの高さ方向の寸法を小さくすることができる。
【発明を実施するための最良の形態】
【００２３】
第１の実施の形態
以下、添付図面を参照して本発明の第１の実施の形態について説明する。
図１乃至図１１は本発明によるベビーカーの第１の実施の形態を示す図である。このうち図１は、本発明のベビーカーの使用可能な展開状態の時の概略構成を示す側面図であり、図２は、図１のベビーカーの拡大部分図であり、図３は、図１のベビーカーの折り畳み状態とした時の概略構成を示す側面拡大部分図である。
図１および図２に示すように、本実施の形態によるベビーカーは、前輪１１を有する左右１対の前脚１２と、後輪１３を有する左右１対の後脚１４と、各々Ｌ字状のブラケット２５を介して１対の後脚１４に連結された左右１対の支持パイプ１７と、１対の前脚１２および１対の後脚１４に連結されるとともに、１対の支持パイプ１７に回動自在に連結されたアームレスト１６とを備えている。このうちアームレスト１６は、１対の前脚１２および１対の後脚１４に連結されるとともに、１対の支持パイプ１７に軸１７ａによって回動自在に連結されたアームレスト本体１６ａと、アームレスト本体１６ａに固着され、アームレスト本体１６ａから支持パイプ１７よりも後方まで延びる幌取付プレート３５とを有している。また、支持パイプ１７の外周には筒状の幌取付部材３６が、この支持パイプ１７の軸線方向に摺動自在に取り付けられており、さらに、幌取付プレート３５と幌取付部材３６とは軸３６ａにより回動自在に連結されている。そして、幌取付部材３６に幌６０が着脱自在に装着されている。
なお、幌取付部材３６は、幌取付プレート３５のうちアームレスト本体１６ａと反対側の端部に軸３６ａを介して取り付けられている。また幌取付部材３６はアームレスト１６の係合部分を構成している。
【００２４】
すなわち、図４に示すように、上記幌６０は基端部が幌アングル６５に装着された逆Ｕ字状の前部幌ステー６６ａ、中間幌ステー６６ｂ、後部幌ステー６６ｃを有しており、その前部幌ステー６６ａ、中間幌ステー６６ｂ、後部幌ステー６６ｃ間に幌布６７が張設されている。そして、上記前部幌ステー６６ａと中間幌ステー６６ｂは、屈曲・展開可能な止め金６８により連結されており、上記前部幌ステー６６ａおよび中間幌ステー６６ｂを互いに接近方向に揺動させることにより折り畳んだ状態、或いは離間する方向に揺動させ側面視Ｖ字状に拡開させた状態に保持しうるようにしてある。
【００２５】
図５は、上記幌アングル６５及び幌ステー６６ａ、６６ｂ、６６ｃの取付部の構成を示す拡大図であり、上記幌アングル６５にはその後部に下方に延びる柱状の支持杆６５ａが突設されており、この支持杆６５ａが前記幌取付部材３６に形成された筒状の孔に軸線回りに回動可能に挿入装着されている。上記幌アングル６５には上記支持杆６５ａより上部位置に、前記後部幌ステー６６ｃの基端部が軸６９により枢着されており、上記幌アングル６５の表面に設けられた前後のリブ７０ａ、７０ｂにより上記後部幌ステー６６ｃが幌アングル６５に対して揺動できないようにしてある。また、上記幌アングル６５には上記後部幌ステー６６ｃが装着する軸６９より下方で且つ支持杆６５ａの前方位置に軸７２によって幌プレート７１の基端部が一体的に装着され、さらに上記軸７２に中間幌ステー６６ｂの基端部が枢着されている。
【００２６】
また、図６に示すように、幌アングル６５の幌プレート７１との対向面にはロック用突起部７３が形成され、一方、幌プレート７１の前記幌アングル６５との対向面には前記幌ステー６６ａが折り畳み位置或いは展開位置にある時に、上記ロック用突起部７３とプラスチックによる弾性係合を行う凹部７４ａ、７４ｂが形成されており、前記幌ステー６６ａ、６６ｂ、６６ｃの位置決めが行われるようにしてある。
【００２７】
本実施の形態のベビーカーにおいては、手押し杆４０の直管部４１が伸縮可能としてある。すなわち、図７は上記手押し杆４０の直管部４１の縦断面図であり、図８はその拡大部分図である。上記手押し杆４０の直管部４１は、ベビーカー本体に下端部が装着された小径の下部パイプ４２と、小径の上部パイプ４３と、上記下部パイプ４２と上部パイプ４３とを連結する大型のジョイントパイプ４４とにより形成されており、上記小径の下部パイプ４２の頂端部にブッシュ４５を介して大径のジョイントパイプ４４の下部が嵌装され、そのジョイントパイプ４４がピン４６により下部パイプ４２に固着されている。上記大径のジョイントパイプ４４の上部には上記小径の上部パイプ４３が入り子式に軸線方向に摺動可能に挿入され、その上部パイプ４３の移動により手押し杆４０の直管部４１が伸縮可能としてある。
【００２８】
上記小径の上部パイプ４３内には、アジャストホルダー４７が上部パイプ４３に沿って移動可能に設けられており、上記アジャストホルダー４７の下部にはロックピン保持部４７ａが設けられている。上記ロックピン保持部４７ａには互いに平行な対向する面が形成されており、その対向する面に斜め上方に延びるカム溝４７ａ１が設けられ、そのカム溝４７ａ１に後述するロックピン４８の基端に形成された左右のカム部が係合されている。すなわち、上記小径の上部パイプ４３には、図８に示すように、ロックピンガイド４９が装着されており、そのロックピンガイド４９に上記ロックピン４８が上部パイプ４３に対して径方向に移動可能に嵌挿されており、そのロックピン４８の基端に形成された左右のカム部が上記カム溝４７ａ１に係合されている。
【００２９】
一方、上記大径のジョイントパイプ４４には、上記上部パイプ４３が最大引き抜き位置にある手押し杆４０の伸張時、および上部パイプ４３がジョイントパイプ４４内に挿入された手押し杆４０の収縮時に上記ロックピン４８と対応する位置に、上記ロックピン４８が選択的に係合する嵌合穴５０、５１が設けられている。そして、上記大径のジョイントパイプ４４の頂端部には上記嵌合穴５０を覆うジョイントパイプキャップ５２が固着されるとともに、上記嵌合穴５１に対応する位置には上記嵌合穴５１を覆う穴カバー５３が設けられている。
【００３０】
また、上記上部パイプ４３には、その上部位置に同軸的にグリップエンド５４が嵌装されており、そのグリップエンド５４と上部パイプ４３とに形成された軸線方向に延びる長穴５５にピン５６が嵌挿され、そのピン５６に上記アジャストホルダー４７の頂部が連結されている。そして、上記上部パイプ４３に設けられたバネ受け５７とアジャスタホルダー４７との間に、上記アジャストホルダー４７を下方に付勢するアジャストスプリング５８が介装されている。さらに、上記グリップエンド５４には筒状のアジャスト操作部材５９が嵌装されており、そのアジャスト操作部材５９が前記ピン５６に連結されている。
【００３１】
次にこのような構成からなる本実施の形態の作用について説明する。
まず、幌６０の作動状態について説明する。図４は、幌６０の作動状態を示す図であって、幌６０の不使用時には、（ａ）に示すように、中間幌ステー６６ｂを後部幌ステー６６ｃに沿うように倒すとともに、止め金６８を屈曲させることにより前部幌ステー６６ａも後方に揺動させ３つの幌ステー６６ａ、６６ｂ、６６ｃを互いに接近させ折り畳んだ状態とすることができる。また、上記（ａ）に示す位置から（ｂ）に示すように前部幌ステー６６ａのみを前方に揺動させ、止め金６８を直線状にすることにより、幌６０を半展開状態とすることができ、さらに幌ステー６６ａ、６６ｂを前方側に揺動させることにより、（ｃ）に示すように幌６０を完全に展開した状態とすることができる。
【００３２】
次に、ベビーカーの収納或いは携帯時において、幌６０を図８（ａ）に示す折り畳んだ状態として、ベビーカーを二つ折り状態或いは三つ折り状態に折り畳んだ場合には、ベビーカーの幌取付部材３６の周辺部は図３に示す構成のようになる。
詳しく説明すると、ベビーカーを折り畳み状態としたときには、アームレスト１６のアームレスト本体１６ａは支持パイプ１７に対して軸１７ａを中心として前脚１２および後脚１４との連結部分１２ａ、１４ａが上方に移動するよう回転する。すなわち、図２においてアームレスト本体１６ａは軸１７ａを中心として時計回りに回転する。これに伴ってアームレスト本体１６ａに固着された幌取付プレート３５も軸１７ａを中心として図２の時計回りに回転する。この場合、幌取付プレート３５と幌取付部材３６とを連結する軸３６ａは幌取付プレート３５のアームレスト本体１６ａと反対側の端部に設けられているので、幌取付プレート３５の回転に伴って、軸３６ａが軸１７ａに対して下方に降下する。このことにより、図３に示すように、軸３６ａが下方に引っ張られることによって幌取付部材３６が支持パイプ１７上を下方に摺動し、この幌取付部材３６の位置が支持パイプ１７に対して降下することとなる。
図３において、幌取付部材３６の実線部分は本実施の形態により支持パイプ１７に対して降下した後の幌取付部材３６の位置を示し、二点鎖線部分は幌取付部材３６が支持パイプ１７に固定された従来の場合における幌取付部材３６の位置を示している。
本実施の形態によれば、幌取付部材３６の位置が支持パイプ１７に対して降下することにより、従来の場合に比べてベビーカーを折り畳んだ時に幌取付部材３６の位置を例えば約６ｃｍ降下させることができる。
【００３３】
そして、ベビーカーを二つ折り状態或いは三つ折り状態に折り畳んだ後、アジャスト操作部材５９を図７に示す位置からアジャストスプリング５８に抗して図８に示す位置に引き上げると、アジャストホルダー４７が上動され、アジャストホルダー４７のカム溝４７ａ１との係合によってロックピン４８が上部パイプ４３内に引き込められ、大径のジョイントパイプ４４の嵌合穴５０との係合が解放される（図９（ａ）参照）。そこで、上部パイプ４３をジョイントパイプ４４内に完全に挿入し、アジャスト操作部材５９から手を離すと、アジャストホルダー４７がアジャストスプリング５８によって上部パイプ４３に対して降下し、図９（ｂ）に示すようにロックピン４８が径方向に突出され、上記ロックピン４８の下方の嵌合穴に係合する。したがって、手押し杆４０の直管部４１が図７の状態から図９（ｂ）に示す収縮状態とされ、ベビーカーの高さを図９、図１０のＬ寸法だけ低くすることができる。
一方、ベビーカーを使用する場合には、上記アジャスト操作部材５９を上方に操作することによりロックピン４８を嵌合穴５１から離脱させた後、上部パイプ４３を上方に移動させると、上部パイプ４３に設けられたロックピンガイド４９がジョイントパイプ４４の頂端開口部に固着された第１のインナーブッシュ６２に当接する。そこで、アジャスト操作部材５９から手を離せばロックピン４８が上方の嵌合穴５０に係合され、上部パイプ４３がジョイントパイプ４４に対して固定状態となり、手押し杆４０を伸長させた通常の使用状態にすることができる。
【００３４】
以上のように、本実施の形態のベビーカーによれば、支持パイプ１７に回動自在に連結されたアームレスト本体１６ａにこの支持パイプ１７よりも後方まで延びる幌取付プレート３５が固着されており、また幌取付部材３６が幌取付プレート３５に回動自在に連結されており、折り畳み状態としたときに、アームレスト本体１６ａが支持パイプ１７に対して回転し、幌取付プレート３５に取り付けられた幌取付部材３６の位置が支持パイプ１７に対して降下する。このため、折り畳み時に幌ステー６６ａ、６６ｂ、６６ｃの高さを比較的低くすることができ、手押し杆４０の収縮に対して幌ステー６６ａ、６６ｂ、６６ｃが邪魔となることがなく、ベビーカーの高さ方向の寸法を小さくすることができる。
【００３５】
なお、上記実施の形態ではアームレスト１６がアームレスト本体１６ａと、アームレスト本体１６ａに固着された幌取付プレート３５とからなる例について説明したが、アームレスト本体１６ａと幌取付プレート３５とを区画することなく一体化された左右１対のアームレスト１６を用いてもよい。この場合には、この一体化されたアームレスト１６は１対の前脚１２および１対の後脚１４に連結されるとともに１対の支持パイプ１７に回動自在に連結され、各支持パイプ１７よりも後方まで延びて係合部分を形成しており、この係合部分に幌取付部材が回動自在に連結されている。
【００３６】
また、本実施の形態におけるアームレスト本体１６ａは１対の前脚１２および１対の後脚１４の両方に連結されたものに限られず、１対の前脚１２および１対の後脚１４のうちいずれか一方に連結されているものであってもよい。
【００３７】
また、上記実施の形態においては３つの幌ステーを使用した大型幌の例を示したが、図１１（ａ）、（ｂ）のように前部幌ステー６６ａと後部幌ステー６６ｃの２つの幌ステーを用いた小型幌にも適用することができる。またこの場合には中間幌ステー６６ｂを取り除き、前部幌ステー６６ａと後部幌ステー６６ｃとを止め金６８により連結することにより、大型幌と小型幌において中間幌ステー６６ｂ以外の部品を共通化することができる。
【００３８】
第２の実施の形態
以下、図面を参照して本発明の第２の実施の形態について説明する。図１２は、本発明の第２の実施の形態によるベビーカーの構成を示す構成図である。本実施の形態によるベビーカーは、幌取付プレート３５に幌取付部材３６を直接連結させる代わりに、幌取付プレート３５と幌取付部材３６との間にリンクプレート３７を設けた点が異なるのみであり、他は実質的に図１乃至図１１に示す第１の実施の形態と同様の構成を有している。図１２に示す第２の実施の形態において、図１乃至図１１に示す第１の実施の形態と同一部分には同一符号を付して詳細な説明を省略する。
このベビーカーについて以下図１２を用いて説明する。
【００３９】
図１２に示すように、アームレスト本体１６ａに固着された幌取付プレート３５には、アームレスト本体１６ａとの固着部分と反対側（後方側）に、細長い平板状のリンクプレート３７の一端部が軸３７ａを介して回動自在に連結されている。また、幌取付部材３６はリンクプレート３７の他端部に軸３６ｂを介して回動自在に連結されている。この場合、図１２に示すように、軸３６ｂは軸３７ａよりも上方に位置している。また、図１２に示すように、ベビーカーが展開状態であるときには、リンクプレート３７と支持パイプ１７は略平行状態となっている。このリンクプレート３７は、幌取付プレート３５および幌取付部材３６に対してそれぞれ取り外し自在となっている。なお、上記構成部材のうち、アームレスト本体１６ａと幌取付プレート３５とによりアームレスト１６が構成される。
【００４０】
図１２において、収納或いは携帯時に、ベビーカーを二つ折り状態或いは三つ折り状態に折り畳んだ場合には、アームレスト１６のアームレスト本体１６ａは支持パイプ１７に対して軸１７ａを中心として前脚１２および後脚１４との連結部分１２ａ、１４ａが上方に移動するよう図１２の時計回りに回転する。これに伴ってアームレスト本体１６ａに固着された幌取付プレート３５も軸１７ａを中心として図１２の時計回りに回転し、幌取付プレート３５とリンクプレート３７とを連結する軸３７ａが軸１７ａに対して下方に降下する。このことにより、リンクプレート３７の一端部が軸３７ａを介して幌取付プレート３５により下方に引っ張られ、リンクプレート３７の他端部に軸３６ｂを介して回動自在に連結された幌取付部材３６も下方に引っ張られる。この場合、幌取付部材３６が支持パイプ１７上を下方に摺動し、この幌取付部材３６の位置が支持パイプ１７に対して降下する。
図１２において、幌取付プレート３５と幌取付部材３６との間にリンクプレート３７を設けることによって、支持パイプ１７の軸線方向における幌取付部材３６の移動の自由度を、リンクプレート３７を設けない場合に比べて、例えばリンクプレート３７の長さ分だけ、より増加させることができる。ところで、ベビーカーを折り畳む際、図１２に示すように、幌取付プレート３５は支持パイプ１７上の軸１７ａを中心として回転運動を行い、幌取付部材３６は支持パイプ１７の軸線方向に沿って直線運動を行う。この際、幌取付プレート３５と幌取付部材３６との間にリンクプレート３７が両方に対して回動自在に連結されているので、幌取付プレート３５の回転運動による作用力を円滑に幌取付部材３６に伝達して支持パイプ１７の軸線方向に沿った直線運動を行わせることができる。
【００４１】
以上のように、本実施の形態のベビーカーによれば、幌取付プレート３５と幌取付部材３６との間にリンクプレート３７が両方に対して回動自在に連結されている。このため、ベビーカーの展開状態と折り畳み状態との間における幌取付部材３６の移動の自由度をより増加させることができ、また、幌取付プレート３５の回転運動による作用力を円滑に幌取付部材３６に伝達して支持パイプ１７の軸線方向に沿った直線運動を行わせることができる。
【００４２】
第３の実施の形態
以下、図面を参照して本発明の第３の実施の形態について説明する。図１３は、本発明の第３の実施の形態によるベビーカーの構成を示す構成図である。本実施の形態によるベビーカーは、幌取付部材３６を幌取付プレート３５に連結させる代わりに、幌取付部材３６を手押し杆４０の伸縮可能な直管部４１に取り付けた点が異なるのみであり、他は実質的に図１乃至図１１に示す第１の実施の形態と同様の構成を有している。図１３に示す第３の実施の形態において、図１乃至図１１に示す第１の実施の形態と同一部分には同一符号を付して詳細な説明を省略する。
このベビーカーについて以下図１３を用いて説明する。なお、図１３の右側部分は手押し杆４０の直管部４１を伸長させた通常状態を、また左側部分は手押し杆４０の直管部４１を収縮させた状態を示している。
【００４３】
本実施の形態のベビーカーにおいては、図１３に示すように、幌取付部材３６は手押し杆４０の上部パイプ４３に嵌装され、アジャスト操作部材５９の下端部に近接する位置に設けられている。収納或いは携帯時に、ベビーカーを二つ折り状態或いは三つ折り状態に折り畳んだ場合には、前述の第１の実施の形態に示すように折り畳んだ後に手押し杆４０の上部パイプ４３が下方に移動して、直管部４１が図７の状態から図９（ｂ）に示す収縮状態とされ、手押し杆４０の高さが図７のＬ寸法だけ低くなる。このことに伴い、直管部４１の上部パイプ４３に嵌装された幌取付部材３６も図１３のＬ寸法だけ下方に移動させることができる。
一方、ベビーカーを使用する場合には、前述の第１の実施の形態に示すように手押し杆４０の直管部４１を伸長させた通常の使用状態にすることができ、この場合には上部パイプ４３が上方に移動しているのでこの上部パイプ４３に嵌装された幌取付部材３６も上方に移動させることができる。
【００４４】
以上のように、本実施の形態のベビーカーによれば、幌取付部材３６が軸線方向に伸縮可能な直管部４１に連結されているので、折り畳み時に手押し杆４０の収縮に対して幌ステー６６ａ、６６ｂ、６６ｃの高さを同じ長さだけ低くすることができ、ベビーカーの高さ方向の寸法を小さくすることができる。
【００４５】
第４の実施の形態
以下、図面を参照して本発明の第４の実施の形態について説明する。図１４乃至図１６は、本発明の第４の実施の形態によるベビーカーの構成を示す構成図である。本実施の形態によるベビーカーは三つ折りにより折り畳み状態とすることができるものであり、幌取付部材３６をアームレスト１６に連結させる代わりに、幌取付部材３６を支持パイプ１７に固定するとともに、幌取付部材３６にスパイラルカムを介して幌ステー６６ａ、６６ｂ、６６ｃを取り付ける点が異なるのみであり、他は実質的に図１乃至図１１に示す第１の実施の形態と同様の構成を有している。図１４乃至図１６に示す第４の実施の形態において、図１乃至図１１に示す第１の実施の形態と同一部分には同一符号を付して詳細な説明を省略する。
このベビーカーについて以下図１４乃至図１６を用いて説明する。
【００４６】
図１４は、スパイラルカムおよび幌取付部材３６の分解斜視図であり、図１５は、ベビーカーが展開状態にあるときの幌６０および幌取付部材３６の側面図であり、図１６は、ベビーカーが折り畳み状態にあるときの幌６０および幌取付部材３６の側面図である。図１４に示すように、幌取付部材３６は上下方向にスパイラル状に形成されたカム溝３６ｃを有している。幌取付部材３６のカム溝３６ｃは、図１４に示すように幌取付部材３６の筒状部を貫通するものであってもよく、また筒状部の内面に沿って設けられたものであってもよい。幌取付部材３６に設けられたカム溝３６ｃは、幌取付部材３６を上方から見て中心軸Ａに対して９０度の円弧状となるよう設けられている。また、スパイラルカムは柱状の支持杆６５ａと、幌取付部材３６のカム溝３６ｃに沿って移動する突起部分６５ｂとを有する幌アングル６５からなり、突起部分６５ｂの直径はカム溝３６ｃの幅と略同一の大きさとなっている。
【００４７】
ベビーカーが展開状態にあるとき、図１５に示すように幌アングル６５の突起部分６５ｂは幌取付部材３６のカム溝３６ｃの最上部に位置している。次に、ベビーカーを三つ折り状態にした場合、幌取付部材３６が幌アングル６５に対して図１４、図１５の中心軸Ａを中心として回転する。このとき、幌取付部材３６は、図１５における幌取付部材３６の部分３６ｄが図１６の紙面の奧方に移動するように回転する。この幌取付部材３６の幌アングル６５に対する回転により、突起部分６５ｂがカム溝３６ｃに沿って斜め下方（図１４の矢印方向）に案内され、ベビーカーが完全に折り畳み状態となったとき、図１６に示すように幌アングル６５の突起部分６５ｂは幌取付部材３６のカム溝３６ｃの最下部に位置する。このことにより、幌アングル６５は幌取付部材３６のカム溝３６ｃの高さ分だけ下方に移動することができる。
【００４８】
以上のように、本実施の形態のベビーカーによれば、幌取付部材３６が支持パイプ１７に固着され、この幌取付部材３６に幌アングル６５からなるスパイラルカムを介して幌ステー６６ａ、６６ｂ、６６ｃが取り付けられている。スパイラルカムは幌取付部材３６に対する幌ステー６６ａ、６６ｂ、６６ｃの回転によりこの幌ステー６６ａ、６６ｂ、６６ｃを上下方向に移動させるようになっている。また、三つ折りにより折り畳み状態としたときに、幌取付部材３６が幌アングル６５に対して回転し、幌取付部材３６に対する幌ステー６６ａ、６６ｂ、６６ｃの位置が低くなる。このため、折り畳み時に幌ステー６６ａ、６６ｂ、６６ｃの高さを比較的低くすることができ、手押し杆４０の収縮に対して幌ステー６６ａ、６６ｂ、６６ｃが邪魔となることがなく、ベビーカーの高さ方向の寸法を小さくすることができる。
【図面の簡単な説明】
【００４９】
【図１】第１の実施の形態のベビーカーの使用可能な展開状態の時の概略構成を示す側面図。
【図２】図１のベビーカーの拡大部分図。
【図３】図１のベビーカーの折り畳み状態とした時の概略構成を示す側面拡大部分図。
【図４】（ａ）、（ｂ）、（ｃ）は大型幌における幌ステーの作動説明図。
【図５】幌の幌ステー取付部の拡大図。
【図６】幌アングルの拡大分解図。
【図７】手押し杆の直管部の縦断面図。
【図８】図７の拡大部分図。
【図９】（ａ）、（ｂ）はそれぞれ手押し杆の作動説明図。
【図１０】ベビーカーの折り畳んだ状態を示す正面図。
【図１１】（ａ）、（ｂ）は小型幌における幌ステーの作動説明図。
【図１２】第２の実施の形態のベビーカーの使用可能な展開状態の時の概略構成を示す側面拡大部分図。
【図１３】第３の実施の形態のベビーカーの概略構成を示す正面図。
【図１４】第４の実施の形態のベビーカーのスパイラルカムおよび幌取付部材の分解斜視図。
【図１５】ベビーカーが展開状態にあるときの図１４の幌および幌取付部材の側面図。
【図１６】ベビーカーが折り畳み状態にあるときの図１４の幌および幌取付部材の側面図。
【図１７】従来のベビーカーの概略構成を示す斜視図。
【図１８】図１７のベビーカーの側面図。
【図１９】図１７のベビーカーの支持パイプと後脚との連結部の拡大側面図。
【図２０】図１７のベビーカーの２つ折り状態の説明図。
【図２１】図１７のベビーカーの３つ折り状態の概略形状を示す説明図。
【図２２】幌を適用するベビーカーの概略構成を示す斜視図。
【図２３】図２２のベビーカーの側面図。
【符号の説明】
【００５０】
３５    幌取付プレート
３６    幌取付部材
３７    リンクプレート
４０    手押し杆
４１    直管部
４２    下部パイプ
４３    上部パイプ
４４    ジョイントパイプ
４５    ブッシュ
４７    アジャストホルダー
４８    ロックピン
４９    ロックピンガイド
５０、５１  嵌合穴
５２    ジョイントパイプキャップ
５３    穴カバー
５５    長穴
５９    アジャスト操作部材
６０    幌
６５    幌アングル
６６ａ、６６ｂ、６６ｃ  幌ステー
６７    幌布
６８    止め金
【図１】
2006117010.tif 000003
【図２】
2006117010.tif 000004
【図３】
2006117010.tif 000005
【図４】
2006117010.tif 000006
【図５】
2006117010.tif 000007
【図６】
2006117010.tif 000008
【図７】
2006117010.tif 000009
【図８】
2006117010.tif 000010
【図９】
2006117010.tif 000011
【図１０】
2006117010.tif 000012
【図１１】
2006117010.tif 000013
【図１２】
2006117010.tif 000014
【図１３】
2006117010.tif 000015
【図１４】
2006117010.tif 000016
【図１５】
2006117010.tif 000017
【図１６】
2006117010.tif 000018
【図１７】
2006117010.tif 000019
【図１８】
2006117010.tif 000020
【図１９】
2006117010.tif 000021
【図２０】
2006117010.tif 000022
【図２１】
2006117010.tif 000023
【図２２】
2006117010.tif 000024
【図２３】
2006117010.tif 000025